(57)【要約】【課題】認証に掛かる時間を抑制することができる認証装置、認証方法及び認証システムを提供する。【解決手段】認証装置１の制御部１４は、前回の認証が成立した第１の登録者（登録者Ｄ）と、他の認証装置において認証が成立した第２の登録者（登録者Ｂ）と、を組み合わせて一番目と二番目になるように認証順位を設定して認証を行うように概略構成されている。認証装置１は、第１の登録者と第２の登録者を認証順位の一番目と二番目にするので、この構成を採用しない場合と比べて、認証順位の一番目と二番目において認証が成立する確率が高く、認証に掛かる時間を抑制することができる。【選択図】図３
2020037325.tif 000002
【特許請求の範囲】
【請求項１】
前回の認証が成立した第１の登録者と、他の認証装置において認証が成立した第２の登録者と、を組み合わせて一番目と二番目になるように認証順位を設定して認証を行う認証部を備えた認証装置。
【請求項２】
前記他の認証装置は、車両に搭載され、前記車両に近づくユーザが携帯する携帯機と通信を行って認証を行い、
前記認証部は、前記車両のスタートスイッチ装置を操作するユーザの生体情報を読み取り、前記生体情報と予め登録された登録生体情報とを比較して認証を行う、
請求項１に記載の認証装置。
【請求項３】
前回の認証が成立した第１の登録者と、他の認証装置において認証が成立した第２の登録者と、を組み合わせて一番目と二番目になるように認証順位を設定して認証を行う、
認証方法。
【請求項４】
第２の登録者が登録者であるか否かの認証を行う他の認証装置と、
前回の認証が成立した第１の登録者と、前記他の認証装置において認証が成立した前記第２の登録者と、を組み合わせて一番目と二番目になるように認証順位を設定して認証を行う認証部を有する認証装置と、
を備えた認証システム。
【発明の詳細な説明】
【技術分野】
【０００１】
本発明は、認証装置、認証方法及び認証システムに関する。
【背景技術】
【０００２】
従来の技術として、携帯機から識別情報を受信することにより、携帯機の認証を行う携帯機認証手段と、運転者に固有の運転者識別情報を取得し、予め登録された運転者識別情報と比較して予め登録された登録運転者であるかの認証を行う運転者認証手段と、登録運転者が設定する情報である設定情報の入力を受け付ける情報入力手段と、運転者認証手段による認証か、又は登録運転者が入力した設定情報に基づく認証のいずれかを選択し、選択された認証による認証結果と携帯機認証手段の認証結果とに基づいて、車両の発車の制御を行う認証制御手段と、を備える車両盗難防止装置が知られている（例えば、特許文献１参照。）。
【先行技術文献】
【特許文献】
【０００３】
【特許文献１】特開２０１０−２０８５５４号公報
【発明の概要】
【発明が解決しようとする課題】
【０００４】
このような従来の車両盗難防止装置の中には、例えば、携帯機に登録された登録者ではない者が使用した場合、認証順位のため、認証時間が増える可能性がある。
【０００５】
従って本発明の目的は、認証に掛かる時間を抑制することができる認証装置、認証方法及び認証システムを提供することにある。
【課題を解決するための手段】
【０００６】
本発明の一態様は、前回の認証が成立した第１の登録者と、他の認証装置において認証が成立した第２の登録者と、を組み合わせて一番目と二番目になるように認証順位を設定して認証を行う認証部を備えた認証装置を提供する。
【０００７】
本発明の他の一態様は、前回の認証が成立した第１の登録者と、他の認証装置において認証が成立した第２の登録者と、を組み合わせて一番目と二番目になるように認証順位を設定して認証を行う、認証方法を提供する。
【０００８】
本発明の他の一態様は、第２の登録者が登録者であるか否かの認証を行う他の認証装置と、前回の認証が成立した第１の登録者と、他の認証装置において認証が成立した第２の登録者と、を組み合わせて一番目と二番目になるように認証順位を設定して認証を行う認証部を有する認証装置と、を備えた認証システムを提供する。
【発明の効果】
【０００９】
本発明によれば、認証に掛かる時間を抑制することができる。
【図面の簡単な説明】
【００１０】
【図１】図１（ａ）は、実施の形態に係る認証装置の一例を示すブロック図であり、図１（ｂ）は、認証装置が含まれる認証システムの一例を示すブロック図である。
【図２】図２（ａ）は、実施の形態に係る認証装置の一例を示す概略図であり、図２（ｂ）は、生体情報センサが読み取る生体情報の一例を示す概略図である。
【図３】図３（ａ）及び図３（ｂ）は、実施の形態に係る認証装置が生成する認証順位情報の生成の一例を説明するための概略図であり、図３（ｃ）は、認証順位情報の変形例の一例を示す概略図である。
【図４】図４は、実施の形態に係る認証装置及び認証システムの動作の一例を説明するためのタイミングチャートである。
【発明を実施するための形態】
【００１１】
（実施の形態の要約）
実施の形態に係る認証装置は、前回の認証が成立した第１の登録者と、他の認証装置において認証が成立した第２の登録者と、を組み合わせて一番目と二番目になるように認証順位を設定して認証を行う認証部を備えて概略構成されている。
【００１２】
この認証装置は、前回の認証が成立した第１の登録者と、他の認証装置によって認証された第２の登録者と、を認証順位の一番目と二番目にするので、この構成を採用しない場合と比べて、認証順位の一番目と二番目において認証が成立する確率が高く、認証に掛かる時間を抑制することができる。
【００１３】
また他の実施の形態に係る認証方法は、前回の認証が成立した第１の登録者と、他の認証装置において認証が成立した第２の登録者と、を組み合わせて一番目と二番目になるように認証順位を設定して認証を行う、ことを含んでいる。
【００１４】
この認証方法は、前回の認証が成立した第１の登録者と、他の認証装置によって認証された第２の登録者と、を認証順位の一番目と二番目にするので、この構成を採用しない場合と比べて、認証順位の一番目と二番目において認証が成立する確率が高く、認証に掛かる時間を抑制することができる。
【００１５】
さらに他の実施の形態に係る認証システムは、第２の登録者が登録者であるか否かの認証を行う他の認証装置と、前回の認証が成立した第１の登録者と、他の認証装置において認証が成立した第２の登録者と、を組み合わせて一番目と二番目になるように認証順位を設定して認証を行う認証部を有する認証装置と、を備えて概略構成されている。
【００１６】
この認証システムは、前回の認証が成立した第１の登録者と、他の認証装置によって認証された第２の登録者と、を認証順位の一番目と二番目にするので、この構成を採用しない場合と比べて、認証順位の一番目と二番目において認証が成立する確率が高く、認証に掛かる時間を抑制することができる。
【００１７】
[実施の形態]
（認証装置１の概要）
以下では、実施の形態の認証装置１の一例について各図を参照しながら説明する。なお図１（ａ）及び図１（ｂ）では、主な信号や情報の流れを矢印で示している。
【００１８】
認証装置１は、生体情報を用いた認証、又は生体情報以外を用いた認証を行う。本実施の形態の認証装置１は、一例として、図１（ａ）及び図２（ａ）に示すように、生体情報の認証に基づいて車両の駆動装置の始動及び停止、電源の遷移を指示するスタートスイッチ装置として構成されている。このスタートスイッチ装置としての認証装置１は、例えば、図２（ａ）に示すように、円筒形の本体１０と、操作ボタン１１と、を備えている。この操作ボタン１１は、本体１０の開口１０２に挿入され、操作面１１０になされたプッシュ操作によって本体１０側に移動するように構成されている。
【００１９】
また認証装置１は、例えば、図１（ａ）に示すように、生体情報センサ１２と、スイッチ部１３と、認証部としての制御部１４と、を備えて概略構成されている。なお認証装置１は、スタートスイッチ装置に限定されず、ログイン、ロック解除や決済などを生体認証で行う装置であっても良い。
【００２０】
この制御部１４は、例えば、図３（ａ）〜図３（ｃ）に示すように、前回の認証が成立した第１の登録者（登録者Ｄ）と、他の認証装置において認証が成立した第２の登録者（登録者Ｂ）と、を組み合わせて一番目と二番目になるように認証順位を設定して認証を行うように概略構成されている。
【００２１】
この第１の認証装置２３は、車両に搭載され、車両に近づくユーザが携帯する携帯機２２と通信を行って認証を行うように構成されている。また制御部１４は、車両のスタートスイッチ装置を操作するユーザの生体情報１２２を読み取り、生体情報１２２と予め登録された登録生体情報１５とを比較して認証（生体認証）を行うように構成されている。
【００２２】
また認証装置１は、例えば、図１（ｂ）に示す認証システム２の一部を構成している。
【００２３】
この認証システム２は、例えば、図１（ｂ）に示すように、第２の登録者が登録者であるか否かの認証を行う第１の認証装置２３と、上述の制御部１４を備えた認証装置１と、を備えて概略構成されている。
【００２４】
なお本実施の形態の認証システム２は、例えば、図１（ｂ）に示すように、車両制御部２０が第２の登録者を識別する識別情報Ｓ４を生成して出力するように構成されているがこれに限定されない。変形例としての認証システム２は、第２の登録者が登録者であるか否かの認証を行う認証装置と、認証装置において認証が成立した第２の登録者を識別する識別情報Ｓ４を出力する識別装置と、上述の制御部１４を備えた認証装置１と、を備えて概略構成されても良い。この識別装置は、例えば、携帯機２２の登録者の情報（ＩＤ情報Ｓ５）を取得してこの登録者を識別する識別情報Ｓ４を生成するように構成されている。
【００２５】
（生体情報センサ１２の構成）
生体情報センサ１２は、例えば、登録者の生体情報１２２を読み取って制御部１４に出力するように構成されている。この生体情報センサ１２は、一例として、操作ボタン１１に搭載されている。なお生体情報センサ１２は、一例として、スタートスイッチ装置以外に搭載されて顔画像、虹彩などの生体情報を用いた認証を行うように構成されても良い。
【００２６】
生体情報センサ１２が指紋を読み取る場合は、例えば、光学式、静電容量式、電界強度測定式、感圧式及び感熱式などの指紋パターンを読み取るように構成されたセンサを用いて行われる。
【００２７】
操作指や手の平の静脈を読み取る場合は、例えば、照射した近赤外線の反射に基づいて静脈パターンを読み取るように構成されたセンサを用いて行われる。
【００２８】
顔画像を取得する場合は、例えば、撮像された対象に複数の計測点を設け、この計測点の深度に基づいて対象の凹凸形状を読み取るように構成されたセンサを用いて行われる。
【００２９】
虹彩を読み取る場合は、例えば、赤外線を照射して撮像した画像を画像処理して虹彩を読み取るように構成されたセンサを用いて行われる。
【００３０】
本実施の形態の生体情報センサ１２は、一例として、静電容量方式のセンサである。そして生体情報センサ１２は、例えば、図２（ａ）に示すように、操作ボタン１１の操作面１１０に露出する読取面１２０に接触した操作指９から読み取った指紋パターンを静電容量情報Ｓ１として出力するように構成されている。
【００３１】
なお読取面１２０は、操作面１１０に露出せず、操作面１１０の下方に配置されても良い。また読取面１２０は、例えば、矩形に限定されず、円形や楕円形であっても良い。
【００３２】
生体情報センサ１２は、例えば、読取面１２０の下方に、格子状に行と列に並ぶ複数の検出電極を備えている。この複数の検出電極は、一例として、数万から数十万個形成されると共に、数μｍから数十μｍの間隔で配置されている。
【００３３】
生体情報センサ１２は、例えば、列を変えながら行に並ぶ検出電極の静電容量を読み出し、続いて行を変えて検出電極の静電容量を読み出すことを繰り返して全ての検出電極を走査するように構成されている。この走査の周期は、一例として、１００ｍｓ程度である。
【００３４】
生体情報センサ１２は、例えば、走査して読み出した複数の静電容量に基づいて形成される静電容量情報Ｓ１を制御部１４に出力する。この静電容量情報Ｓ１は、例えば、１周期分の静電容量に基づいて形成される。
【００３５】
具体的には、生体情報センサ１２は、例えば、予め設けられたしきい値以上の静電容量を「１」、しきい値より低い静電容量を「０」の二値に分けると共に、検出電極の位置と関連付けて静電容量情報Ｓ１を生成する。
【００３６】
図２（ｂ）に示す読取画像１２１は、一例として、静電容量情報Ｓ１に基づいて上述の「１」の検出電極の位置を黒、「０」の検出電極の位置を白として得られるものである。なお図中の丸は、後述する特徴点６の一部を示すために付したものである。
【００３７】
静電容量が高い位置は、指紋の山の位置であって検出電極までの距離が近いので、静電容量が高くなる。そして低い位置は、指紋の谷の位置であって検出電極までの距離が遠く、静電容量が低くなる。従って静電容量の高い位置を黒、低い位置を白とすると、一例として、図２（ｂ）に示すような読取画像１２１が得られる。この読取画像１２１において黒で示した画像は、読み取られた生体情報１２２である。
【００３８】
（スイッチ部１３の構成）
スイッチ部１３は、一例として、操作ボタン１１の操作面１１０とは反対側となる端部と接触するラバードームスイッチとして概略構成されている。このラバードームスイッチは、例えば、弾性力を生成すると共に可動接点を有するラバードームと、ラバードームが配置され、可動接点と対向する固定接点を有するスイッチ基板と、を備えている。
【００３９】
そしてプッシュ操作によって操作ボタン１１が押し込まれると、ラバードームが変形して可動接点が固定接点と導通し、スイッチ部１３がオンしたことを示すスイッチ信号Ｓ２が制御部１４に出力される。そして操作ボタン１１は、プッシュ操作が終了すると、ラバードームの弾性力によって初期の位置に復帰するように構成されている。
【００４０】
（制御部１４の構成）
制御部１４は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部１４が動作するためのプログラムが格納されている。ＲＡＭは、例えば、登録生体情報１５、認証しきい値１６及び認証順位情報１７を格納すると共に、一時的に演算結果などを格納する記憶領域として用いられる。また制御部１４は、その内部にクロック信号を生成する手段を有し、このクロック信号に基づいて動作を行う。後述する認証方法は、一例として、このマイクロコンピュータが実行するプログラムとして提供されても良い。
【００４１】
登録生体情報１５は、例えば、登録者名と、テンプレートと、を関連付けた情報である。この登録者名とは、例えば、登録生体情報１５を登録した登録者を識別するものである。テンプレートとは、例えば、生体情報センサ１２が読み取った生体情報１２２の特徴点６から構成される。なお登録生体情報１５は、ユーザが登録した指の生体情報１２２ごとに生成される。この特徴点６は、生体情報１２２に対する隆線の抽出処理などによって抽出されるものである。
【００４２】
具体的には、特徴点６とは、例えば、図２（ｂ）に示すように、中心点、分岐点、端点及び三角州などであるがこれに限定されない。中心点とは、指紋の中心となる点である。分岐点とは、指紋の隆線が分岐している点である。端点とは、隆線が切れている点である。三角州とは、三方向から隆線が集まった点である。
【００４３】
制御部１４は、例えば、読み取られたユーザの生体情報１２２の特徴点６と、登録生体情報１５のテンプレートと、を比較し、特徴点６の位置、特徴点６間の距離などに基づいて類似度を算出する。そして制御部１４は、類似度が認証しきい値１６以上であった場合、ユーザが登録者である、つまり生体認証が成立したことを示す生体認証情報Ｓ３を出力する。
【００４４】
認証しきい値１６は、一例として、特徴点６の位置、特徴点６間の距離などの比較対象の類似度の８０％として定義される。つまり制御部１４は、例えば、生体認証に使用する比較対象の数が８０個である場合、６４個以上の比較対象が一致すれば、ユーザが登録者であると判定する。
【００４５】
制御部１４は、例えば、認証が成立した場合、認証が成立したことを示す生体認証情報Ｓ３を車両制御部２０に出力する。車両制御部２０は、車両ＬＡＮ２１を介して生体認証情報Ｓ３が入力すると、認証成立に応じた制御を対象の電子機器に行う。本実施の形態では、一例として、生体認証情報Ｓ３に基づいて駆動装置の始動や電源遷移を行う。
【００４６】
なお生体認証は、例えば、特徴点６の類似度を用いた認証方法に限定されず、パターンマッチングなどの認証方法であっても良い。
【００４７】
認証順位情報１７は、例えば、図３（ａ）〜図３（ｃ）に示すように、生体認証の順位に関する情報である。制御部１４は、この生体認証の順位に従って生体認証を行う。以下では、まず前回の認証が成立した第１の登録者（登録者Ｄ）が二番目であり、第１の認証装置２３において認証が成立した第２の登録者（登録者Ｂ）が一番目となるように認証順位を定める場合について説明する。
【００４８】
制御部１４は、例えば、図３（ａ）に示すように、前回の生体認証においてユーザが登録者Ｄであった場合、登録者Ｄの登録生体情報１５が最上位になるように認証順位を変更する。図３（ａ）に示す認証順位情報１７は、例えば、登録者Ｄ、登録者Ａ、登録者Ｃ、登録者Ｂ、登録者Ｅの順番で登録者が並べられている。
【００４９】
次に制御部１４は、例えば、図３（ｂ）に示すように、さらに第１の認証装置２３による認証が成立した場合、携帯機２２の登録者Ｂが最上位になるように認証順位を変更する。図３（ｂ）に示す認証順位情報１７は、例えば、登録者Ｂ、登録者Ｄ、登録者Ａ、登録者Ｃ、登録者Ｅの順番で登録者が並べられている。
【００５０】
従ってユーザが車両に乗り込んで操作ボタン１１を操作する際、認証装置１は、例えば、図３（ｂ）に示す認証順位情報１７の認証順位に従って生体認証を行う。
【００５１】
続いて前回の認証が成立した第１の登録者（登録者Ｄ）が一番目であり、第１の認証装置２３において認証が成立した第２の登録者（登録者Ｂ）が二番目となるように認証順位を定める場合について説明する。
【００５２】
制御部１４は、例えば、図３（ａ）に示すように、前回の生体認証においてユーザが登録者Ｄであった場合、登録者Ｄの登録生体情報１５が最上位になるように認証順位を変更する。
【００５３】
次に制御部１４は、例えば、図３（ｃ）に示すように、さらに第１の認証装置２３による認証が成立した場合、携帯機２２の登録者Ｂが二番目になるように認証順位を変更する。図３（ｃ）に示す認証順位情報１７は、例えば、登録者Ｄ、登録者Ｂ、登録者Ａ、登録者Ｃ、登録者Ｅの順番で登録者が並べられている。
【００５４】
この認証順位では、例えば、一番目と二番目に携帯機２２の登録者と前回の生体認証が成立した登録者とが位置する。従って認証順位の一番目と二番目において認証が成立する確率が高いので、登録者Ｄが登録者Ｂの携帯機を携帯して乗車した場合、順番が後となって生体認証が成立するまでの時間が掛かるのを抑制することができる。
【００５５】
以下では、主に、第１の登録者が二番目で、第２の登録者が一番目となる認証順位について説明する。
【００５６】
（認証システム２の構成）
認証システム２は、例えば、図１（ｂ）に示すように、さらに、車両制御部２０と、車両ＬＡＮ（Local Area Network）２１と、を備えている。
【００５７】
認証システム２の車両制御部２０は、例えば、ＣＰＵ、ＲＡＭ及びＲＯＭなどから構成されるマイクロコンピュータである。このＲＯＭには、例えば、認証システム２が動作するためのプログラムが格納されている。またＲＡＭには、登録者を識別する登録者設定情報２００が記憶されている。
【００５８】
車両制御部２０は、例えば、車両に搭載された電子機器や車両ＬＡＮ２１を介した通信などを制御する。この車両ＬＡＮ２１は、一例として、ＣＡＮ（Controller Area Network）及びＬＩＮ（Local Interconnect Network）などの規格を用いた相互の通信を可能とするものである。
【００５９】
この車両ＬＡＮ２１には、例えば、認証装置１、第１の認証装置２３、第２の認証装置２４及び車載装置２５が電磁気的に接続されている。なお車両ＬＡＮ２１には、さらに複数の認証装置や車載装置が接続されても良い。
【００６０】
携帯機２２は、例えば、車両に登録された電子キーやスマートフォンなどである。本実施の形態では、車両に対して複数の携帯機２２を登録可能であるものとする。そして携帯機２２は、例えば、登録者のＩＤ情報Ｓ５を有している。
【００６１】
携帯機２２は、一例として、第１の認証装置２３と無線通信を行い、ＩＤ情報Ｓ５を送信する。第１の認証装置２３は、受信したＩＤ情報Ｓ５と記憶する登録情報２３０とを比較して携帯機２２が車両に登録されているか否かを判定する。
【００６２】
第１の認証装置２３は、認証が成立すると、携帯機２２の登録者の情報を含む認証情報Ｓ６を生成して車両ＬＡＮ２１を介して車両制御部２０に出力する。車両制御部２０は、認証情報Ｓ６と登録者設定情報２００とに基づいて登録者を識別する識別情報Ｓ４を出力する。
【００６３】
この識別情報Ｓ４は、例えば、認証装置１、第２の認証装置２４や車載装置２５に出力される。認証装置１及び第２の認証装置２４は、この識別情報Ｓ４に基づいて識別された登録者の認証順位を最上位とする。
【００６４】
車載装置２５は、例えば、この識別情報Ｓ４に基づいて識別された登録者が設定した設定を実行する。車載装置２５がシート装置である場合、例えば、識別情報Ｓ４により識別された登録者が設定したシートの位置、角度などになるように調整する。また車載装置２５が空調装置である場合、例えば、登録者が設定した設定温度や風量などになるように調整する。
【００６５】
第２の認証装置２４は、例えば、ＣＰＵ、ＲＡＭ及びＲＯＭなどから構成されるマイクロコンピュータである制御部を備えている。後述する認証方法は、一例として、このマイクロコンピュータが実行するプログラムとして提供されても良い。
【００６６】
第２の認証装置２４は、例えば、生体認証以外の認証を行う。この生体認証以外の認証とは、例えば、筆圧、認証パターン、住所、パスワード、鍵、スマートフォンなどによる認証である。この第２の認証装置２４は、例えば、認証が成立した場合、認証が成立したことを示す認証情報Ｓ７を車両制御部２０に出力する。車両制御部２０は、車両ＬＡＮ２１を介して認証情報Ｓ７が入力すると、認証成立に応じた制御を対象の電子機器に行う。
【００６７】
以下に本実施の形態の認証装置１及び認証システム２の認証順位の更新に関する動作の一例を図４のタイミングチャートに従って説明する。
【００６８】
（動作）
認証装置１は、前回の生体認証が成立した登録者を認証順位の最上位とするように、認証順位を更新する（Ｓｔｅｐ１）。この更新は、ユーザが車両に乗車して生体認証が成立した後に行われる。この後、ユーザは、降車しているものとする。
【００６９】
次にユーザが車両に乗り込むため、携帯機２２を携帯して車両に近づくと、第１の認証装置２３と携帯機２２との通信が行われ、認証が開始される（Ｓｔｅｐ２）。
【００７０】
具体的には、第１の認証装置２３は、車両に近づいた、つまり通信圏内に入った携帯機２２と無線通信を行い、携帯機２２から取得したＩＤ情報Ｓ５と登録情報２３０とに基づいて携帯機２２が登録されているか確認する。第１の認証装置２３は、認証が成立すると（Ｓｔｅｐ３）、認証された登録者の情報（認証情報Ｓ６）を、車両ＬＡＮ２１を介して車両制御部２０に送信する。
【００７１】
次に車両制御部２０は、車両のドアをアンロックすると共に、入力した認証情報Ｓ６に基づいて登録者を識別して識別情報Ｓ４を生成し、認証装置１、第２の認証装置２４などに出力する（Ｓｔｅｐ４）。
【００７２】
認証装置１の制御部１４は、入力した識別情報Ｓ４に基づいて識別された、第１の認証装置２３により認証が成立した登録者の認証順位を最上位とするように認証順位を更新する（Ｓｔｅｐ５）。そして制御部１４は、認証順位を更新した認証順位情報１７に基づいて生体認証を行う。なお制御部１４は、前回の生体認証が成立した登録者を一番目とし、携帯機２２の登録者を二番目とする認証順位としても良い。
【００７３】
また第２の認証装置２４は、入力した識別情報Ｓ４に基づいて識別された登録者の認証順位を最上位とするように認証順位を更新する（Ｓｔｅｐ６）。そして第２の認証装置２４は、更新した認証順位に基づいて生体認証を行う。なお第２の認証装置２４は、前回自身が認証して成立した登録者を一番目とし、携帯機２２の登録者を二番目とする認証順位としても良い。
【００７４】
（実施の形態の効果）
本実施の形態に係る認証装置１は、認証に掛かる時間を抑制することができる。具体的には、認証装置１は、前回の認証が成立した第１の登録者と、第１の認証装置２３によって認証された第２の登録者と、を組み合わせて認証順位の一番目と二番目にするので、この構成を採用しない場合と比べて、認証順位の一番目と二番目において認証が成立する確率が高く、認証に掛かる時間を抑制することができる。
【００７５】
認証装置１は、生体認証を行うように構成されているので、生体認証以外の認証と比べて、認証に時間が掛かる傾向がある。しかし認証装置１は、前回の認証が成立した第１の登録者と、第１の認証装置２３によって認証された第２の登録者と、を組み合わせて認証順位の一番目と二番目として認証が成立する確率を高めているので、この構成を採用しない場合と比べて、生体認証に掛かる時間を抑制することができる。
【００７６】
認証システム２は、複数の認証装置の認証順位を上述のように設定させることができるので、第１の認証装置２３による認証後に複数回認証が必要な場合などに効果的に認証時間の短縮を行うことができる。
【００７７】
認証装置１及び認証システム２は、第１の認証装置２３による認証が、携帯機２２が車両の外にある間に行われ、車両に乗り込んで次の認証を行うまでに認証順位を設定することができるので、この構成を採用しない場合と比べて、効果的に認証時間の短縮を行うことができる。
【００７８】
なお他の実施の形態としての認証方法は、前回の認証が成立した第１の登録者と、他の認証装置において認証が成立した第２の登録者と、を組み合わせて一番目と二番目になるように認証順位を設定して認証を行う、ことを含んでいる。
【００７９】
この認証方法は、例えば、コンピュータが実行するプログラム、ＡＳＩＣ（Application Specific Integrated Circuit）及びＦＰＧＡ（Field Programmable Gate Array）などによって実現されても良い。
【００８０】
以上述べた少なくとも１つの実施の形態によれば、認証に掛かる時間を抑制することが可能となる。
【００８１】
本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更などを行うことができる。また、これら実施の形態の中で説明した特徴の組合せの全てが発明の課題を解決するための手段に必須であるとは限らない。さらに、これら実施の形態は、発明の範囲及び要旨に含まれると共に、特許請求の範囲に記載された発明とその均等の範囲に含まれる。
【符号の説明】
【００８２】
１…認証装置、２…認証システム、６…特徴点、９…操作指、１０…本体、１１…操作ボタン、１２…生体情報センサ、１３…スイッチ部、１４…制御部、１５…登録生体情報、１６…認証しきい値、１７…認証順位情報、２０…車両制御部、２１…車両ＬＡＮ、２２…携帯機、２３…第１の認証装置、２４…第２の認証装置、２５…車載装置、１０２…開口、１１０…操作面、１２０…読取面、１２１…読取画像、１２２…生体情報、２００…登録者設定情報、２３０…登録情報、Ｓ１…静電容量情報、Ｓ２…スイッチ信号、Ｓ３…生体認証情報、Ｓ４…識別情報、Ｓ５…ＩＤ情報、Ｓ６…認証情報、Ｓ７…認証情報
【図１】
2020037325.tif 000003
【図２】
2020037325.tif 000004
【図３】
2020037325.tif 000005
【図４】
2020037325.tif 000006